(57)【要約】【課題】カラー通信での差別化。【解決手段】カラー情報を通信可能なファクシミリ装置において、前手順にて、色空間ＬａｂでのＪＰＥＧ符号化情報、色空間Ｌａｂでのフルカラー情報、色空間ｓＹＣＣでのＪＰＥＧフルカラー符号化情報、両面交互モードでの両面通信機能、片面一括モードでの両面通信機能をネゴシエーションする手段を有し、受信機が両面通信の指定を受けた時、受信モードにより受信制御を変更する。送信機から、受信機が両面通信の指定を受けた時、カラー通信の指定があれば、両面情報を片面にカラー記録し、カラー情報の指定が無ければ、両面情報を両面に記録する。他の実施例では、送信機から、受信機が片面一括モードでの両面通信の指定を受けた時、カラー通信の指定があれば、通信を中断し、カラー情報の指定が無ければ、両面情報を両面に記録する。【選択図】　　　　図１
2004147147.tif 000002
【特許請求の範囲】
【請求項１】
カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧフルカラー符号化情報の受信機能の有無を通知する手段、両面交互モードでの両面受信機能の有無を通知する手段、片面一括モードでの両面受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧフルカラー符号化情報の送信を指定する手段、両面交互モードでの両面送信を指定する手段、片面一括モードでの両面送信を指定する手段を有し、受信機が両面通信の指定を受けた時、受信モードにより受信制御を変更する事を特徴とするファクシミリ装置。
【請求項２】
請求項１のファクシミリ装置において、送信機から、受信機が両面通信の指定を受けた時、カラー通信の指定があれば、両面情報を片面にカラー記録し、カラー情報の指定が無ければ、両面情報を両面に記録する事を特徴とするファクシミリ装置。
【請求項３】
請求項１のファクシミリ装置において、送信機から、受信機が片面一括モードでの両面通信の指定を受けた時、カラー通信の指定があれば、通信を中断し、カラー情報の指定が無ければ、両面情報を両面に記録する事を特徴とするファクシミリ装置。
【請求項４】
請求項１、３のファクシミリ装置において、送信機から、受信機が両面交互モードでの両面通信の指定を受けた時、カラー通信の指定の有無に無関係に、両面情報を両面に記録する事を特徴とするファクシミリ装置。
【請求項５】
請求項４のファクシミリ装置において、送信機から、受信機が両面交互モードでの両面通信の指定を受けた時、カラー通信の指定があれば、両面情報を両面にカラー記録する事を特徴とするファクシミリ装置。
【発明の詳細な説明】
【０００１】
【発明の属する技術分野】
本発明は、ファクシミリ装置、特に、カラー情報を受信、記録可能なファクシミリ装置に関するものである。
【０００２】
【従来の技術】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である。
【０００３】
すなわち、カラー原稿情報のファクシミリ通信は、色空間ＬａｂでのＪＰＥＧフルカラー通信、デジカメ等のファイル情報通信は、色空間ｓＹＣＣでのＪＰＥＧフルカラー通信となる事が予想される。この状況で、記録用紙の効率的な利用という観点から両面プリントした原稿が増加して、これに伴い、両面通信のニーズが高まってきている。これまた、ＩＴＵ−Ｔにて、勧告化され、両面情報を交互に送信する両面通信モード、及び、片面一括にて両面通信をするモードが存在している。
【０００４】
【発明が解決しようとする課題】
しかしながら、両面記録はモノクロ情報のみ対応して、カラー情報には対応しないというファクシミリ装置が存在する。これは、モノクロ記録はＬＢＰプリンタで実現して高繊細な画像を再現させ、カラー記録はＢＪプリンタで実現して安価でカラー記録を実現したいというニーズがあるためである。
【０００５】
このような状況で、従来のＩＴＵ−Ｔのプロトコルに従った受信制御を実行するためには、両面受信、両面記録をサポートすると前手順信号で送信機側に通知すると、モノクロ情報でも、カラー情報でも両面記録する必要があり、装置が高価になってしまうという欠点があった。
【０００６】
また、モノクロ情報、カラー情報に対して両面記録可能なファクシミリ装置の場合、カラー情報を受信した時、両面交互モードでの両面受信、片面一括モードでの両面受信に対して、ともに両面記録を対応する事は相当に大きいメモリ容量が必要であるという欠点があった。
【０００７】
【課題を解決するための手段】
第１の本発明によれば、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧフルカラー符号化情報の受信機能の有無を通知する手段、両面交互モードでの両面受信機能の有無を通知する手段、片面一括モードでの両面受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧフルカラー符号化情報の送信を指定する手段、両面交互モードでの両面送信を指定する手段、片面一括モードでの両面送信を指定する手段を有し、受信機が両面通信の指定を受けた時、受信モードにより受信制御を変更する事が可能になった。第２の本発明によれば、第１の本発明のファクシミリ装置において、送信機から、受信機が両面通信の指定を受けた時、カラー通信の指定があれば、両面情報を片面にカラー記録し、カラー情報の指定が無ければ、両面情報を両面に記録する事が可能になった。
【０００８】
これらにより、両面記録はモノクロ情報のみ対応して、カラー情報には対応しないというファクシミリ装置が存在する場合、プロトコルを新たに作成する事なく、送信機から、受信機が両面通信の指定を受けた時、カラー通信の指定があれば、両面情報を片面にカラー記録し、カラー情報の指定が無ければ、両面情報を両面に記録できユーザには使い易くなった。
【０００９】
第３の本発明によれば、第１の本発明のファクシミリ装置において、送信機から、受信機が片面一括モードでの両面通信の指定を受けた時、カラー通信の指定があれば、通信を中断し、カラー情報の指定が無ければ、両面情報を両面に記録する事が可能になった。第４の本発明によれば、第１、３の本発明のファクシミリ装置において、送信機から、受信機が両面交互モードでの両面通信の指定を受けた時、カラー通信の指定の有無に無関係に、両面情報を両面に記録する事が可能になった。
【００１０】
第５の本発明によれば、第４の本発明のファクシミリ装置において、送信機から、受信機が両面交互モードでの両面通信の指定を受けた時、カラー通信の指定があれば、両面情報を両面にカラー記録する事が可能になった。
【００１１】
これらにより、モノクロ情報、カラー情報に対して両面記録可能なファクシミリ装置の場合、両面交互モードでの両面通信の指定を受けた時は、受信情報がカラーであっても、２ページから３ページ程度のメモリへの格納で両面記録を実現でき、メモリがオーバーフローするケースも無く、カラー通信の指定の有無に無関係に、両面情報を両面に記録できる様になりユーザにとっては使い易くなった。また、送信機から、受信機が片面一括モードでの両面通信の指定を受けた時、カラー通信の指定があれば、送信側の原稿ページ数のメモリへの格納が必要でメモリがオーバーフローする事が予想され、通信を中断でき無駄なカラーファクシミリ通信を実行しないで済み、一方、カラー情報の指定が無ければ、送信側の原稿ページ数のメモリへの格納してもメモリがオーバーフローない事が予想され両面情報を両面に記録する事が可能になり、ユーザには使い易くなった。
【００１２】
【発明の実施の形態】
（実施例１）
以下、図面に示す実施の形態に基づいて、本発明を詳細に説明する。
【００１３】
図１には、本発明の実施の形態であるファクシミリ装置がブロック図として図示されている。
【００１４】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１５】
４は、電話機である。
【００１６】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１７】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１８】
１０は、発呼回路であり、バス２６からの信号により、電話番号情報を入力し、信号線１０ａにＤＴＭＦの選択信号を出力する。
【００１９】
１２は、加算回路であり、信号線８ａの情報と信号線１０ａの情報を入力し、加算した結果を信号線１２ａに出力する。
【００２０】
１４は、カラー読み取り可能な読取回路であり、読み取りデータをバス２６に出力する。
【００２１】
１６は、カラー記録可能な記録回路であり、バス２６に出力されている情報を順次１ライン毎に記録する。
【００２２】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２３】
２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、両面通信選択キー、その他のファンクションキーがあり、押下されたキー情報はバス２６に出力される。
【００２４】
操作部には、表示部があり、バス２６に出力されている情報を入力し、表示する。
【００２５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２６】
２６は、バスである。
【００２７】
２８は、カードインターフェイスであり、３０は、カード（例えば、デジタルカメラで撮影した情報が記憶されているコンパクトフラッシュ（登録商標）カード）がセットされる。
【００２８】
図２には、本発明により、カラー関連のビット情報、さらに、新規にＩＴＵ−Ｔ勧告Ｔ．３０に追加する情報が図示されている。
【００２９】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００３０】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３１】
ＤＩＳ／ＤＴＣ信号のＦＩＦのＸビットにより、色空間ｓＹＣＣでのＪＰＥＧ符号化／フルカラー受信機能の有無を通知し、ＤＣＳ信号のＦＩＦのＸビットにより、色空間ｓＹＣＣでのＪＰＥＧ符号化／フルカラー送信を指定をする。
【００３２】
ＤＩＳ／ＤＴＣ信号のＦＩＦの１１３ビットにより、両面プリント能力（両面交互モード）の有無を通知し、ＤＣＳ信号のＦＩＦの１１３ビットにより、両面プリント指定（両面交互モード）をする。
【００３３】
ＤＩＳ／ＤＴＣ信号のＦＩＦの１１４ビットにより、両面プリント能力（片面一括モード）の有無を通知し、ＤＣＳ信号のＦＩＦの１１４ビットにより、両面プリント指定（片面一括モード）をする。
【００３４】
２４は、カラー情報を通信可能なファクシミリ装置において、前手順にて、受信機から送信機に、色空間ＬａｂでのＪＰＥＧ符号化情報の受信機能の有無を通知する手段、色空間Ｌａｂでのフルカラー情報の受信機能の有無を通知する手段、色空間ｓＹＣＣでのＪＰＥＧフルカラー符号化情報の受信機能の有無を通知する手段、両面交互モードでの両面受信機能の有無を通知する手段、片面一括モードでの両面受信機能の有無を通知する手段、一方、送信機から受信機に、色空間ＬａｂでのＪＰＥＧ符号化情報の送信を指定する手段、色空間Ｌａｂでのフルカラー情報の送信を指定する手段、色空間ｓＹＣＣでのＪＰＥＧフルカラー符号化情報の送信を指定する手段、両面交互モードでの両面送信を指定する手段、片面一括モードでの両面送信を指定する手段を有し、受信機が両面通信の指定を受けた時、受信モードにより受信制御を変更する。具体的には、送信機から、受信機が両面通信の指定を受けた時、カラー通信の指定があれば、両面情報を片面にカラー記録し、カラー情報の指定が無ければ、両面情報を両面に記録する。
【００３５】
以上の制御プログラムが格納されている。
【００３６】
図３、４、５、６には、図１の制御の流れ図が図示されている。
【００３７】
図３において、Ｓ０は、始めを表している。
【００３８】
Ｓ２は、バス２６を介して、メモリ１８をイニシャライズする事を表している。
【００３９】
Ｓ４は、バス２６を介して、操作部の表示部をクリアする事を表している。
【００４０】
Ｓ６では、バス２６を介してＮＣＵ２のＣＭＬをオフする。
【００４１】
Ｓ８では、ファクシミリ受信が選択されたか否かが判断されＹＥＳであるとＳ１２に進み、ＮＯであるとＳ１０に進み、その他の処理をする。
【００４２】
Ｓ１２では、バス２６を介してＮＣＵ２のＣＭＬをオンする。
【００４３】
Ｓ１４は前手順を表している。ここで、ＤＩＳ信号のＦＩＦの６８、６９、Ｘ、１１３、１１４ビットは１とする。
【００４４】
Ｓ１６では、ＤＣＳ信号のＦＩＦの６８、６９ビットはともに１であるか否かが判断され、ＹＥＳであるとＳ１８に進み、ＮＯであるとＳ３４に進む。
【００４５】
Ｓ１８では、ＤＣＳ信号のＦＩＦの１１３ビットは１であるか否かが判断され、ＹＥＳであるとＳ２０に進み、ＮＯであるとＳ２４に進む。
【００４６】
Ｓ２０は、両面交互モードで指定された色空間ＬａｂのＪＰＥＧ符号化のフルカラー両面情報を受信し、片面でフルカラー記録をする事を表している。
【００４７】
Ｓ２２は、後手順を表している。
【００４８】
Ｓ２４では、ＤＣＳ信号のＦＩＦの１１４ビットは１であるか否かが判断され、ＹＥＳであるとＳ２６に進み、ＮＯであるとＳ３０に進む。
【００４９】
Ｓ２６は、片面一括モードで指定された色空間ＬａｂのＪＰＥＧ符号化のフルカラー両面情報を受信し、片面でフルカラー記録をする事を表している。
【００５０】
Ｓ２８は、後手順を表している。
【００５１】
Ｓ３０は、色空間ＬａｂのＪＰＥＧ符号化のフルカラー片面情報を受信し、片面でフルカラー記録をする事を表している。
【００５２】
Ｓ３２は、後手順を表している。
【００５３】
Ｓ３４では、ＤＣＳ信号のＦＩＦのＸビットは１であるか否かが判断され、ＹＥＳであるとＳ３６に進み、ＮＯであるとＳ５２に進む。
【００５４】
Ｓ３６では、ＤＣＳ信号のＦＩＦの１１３ビットは１であるか否かが判断され、ＹＥＳであるとＳ３８に進み、ＮＯであるとＳ４２に進む。
【００５５】
Ｓ３８は、両面交互モードで指定された色空間ｓＹＣＣのＪＰＥＧ符号化のフルカラー両面情報を受信し、片面でフルカラー記録をする事を表している。
【００５６】
Ｓ４０は、後手順を表している。
【００５７】
Ｓ４２では、ＤＣＳ信号のＦＩＦの１１４ビットは１であるか否かが判断され、ＹＥＳであるとＳ４４に進み、ＮＯであるとＳ４８に進む。
【００５８】
Ｓ４４は、片面一括モードで指定された色空間ｓＹＣＣのＪＰＥＧ符号化のフルカラー両面情報を受信し、片面でフルカラー記録をする事を表している。
【００５９】
Ｓ４６は、後手順を表している。
【００６０】
Ｓ４８は、色空間ｓＹＣＣのＪＰＥＧ符号化のフルカラー片面情報を受信し、片面でフルカラー記録をする事を表している。
【００６１】
Ｓ５０は、後手順を表している。
【００６２】
Ｓ５２では、ＤＣＳ信号のＦＩＦの１１３ビットは１であるか否かが判断され、ＹＥＳであるとＳ５４に進み、ＮＯであるとＳ５８に進む。
【００６３】
Ｓ５４は、両面交互モードで指定されたモノクロ両面情報を受信し、両面でモノクロ記録をする事を表している。
【００６４】
Ｓ５６は、後手順を表している。
【００６５】
Ｓ５８では、ＤＣＳ信号のＦＩＦの１１４ビットは１であるか否かが判断され、ＹＥＳであるとＳ６０に進み、ＮＯであるとＳ６４に進む。
【００６６】
Ｓ６０は、片面一括モードで指定されたモノクロ両面情報を受信し、両面でモノクロ記録をする事を表している。
【００６７】
Ｓ６２は、後手順を表している。
【００６８】
Ｓ６４は、モノクロ片面情報を受信し、片面でモノクロ記録をする事を表している。
【００６９】
Ｓ６６は、後手順を表している。
【００７０】
（実施例２）
実施例１のファクシミリ装置において、送信機から、受信機が片面一括モードでの両面通信の指定を受けた時、カラー通信の指定があれば、通信を中断し、カラー情報の指定が無ければ、両面情報を両面に記録する。一方、送信機から、受信機が両面交互モードでの両面通信の指定を受けた時、カラー通信の指定の有無に無関係に、両面情報を両面に記録する。すなわち、送信機から、受信機が両面交互モードでの両面通信の指定を受けた時、カラー通信の指定があれば、両面情報を両面にカラー記録する。
【００７１】
以上の制御を実行しても良い。
【００７２】
図７には、図３、４、５、６の制御の流れ図に対して異なる部分の制御の流れ図が図示されている。
【００７３】
図７において、Ｓ７０は、Ｓ１８のＹｅｓを表している。
【００７４】
Ｓ７２は、両面交互モードで指定された色空間ＬａｂのＪＰＥＧ符号化のフルカラー両面情報を受信し、両面でフルカラー記録をする事を表している。
【００７５】
Ｓ７４は、Ｓ２２を表している。
【００７６】
Ｓ７６は、Ｓ２４のＹｅｓを表している。
【００７７】
Ｓ７８は、Ｓ４２のＹｅｓを表している。
【００７８】
Ｓ８０は、バス２６を介して、操作部の表示部に「通信を中断します。」と表示する事を表している。ここで、この表示は、何らかのキー操作で消去する。
【００７９】
Ｓ８２は、Ｓ６を表している。
【００８０】
Ｓ８４は、Ｓ３６のＹｅｓを表している。
【００８１】
Ｓ８６は、両面交互モードで指定された色空間ｓＹＣＣのＪＰＥＧ符号化のフルカラー両面情報を受信し、両面でフルカラー記録をする事を表している。
【００８２】
Ｓ８８は、Ｓ４０を表している。
【００８３】
【発明の効果】
第１、２の本発明によれば、両面記録はモノクロ情報のみ対応して、カラー情報には対応しないというファクシミリ装置が存在する場合、プロトコルを新たに作成する事なく、送信機から、受信機が両面通信の指定を受けた時、カラー通信の指定があれば、両面情報を片面にカラー記録し、カラー情報の指定が無ければ、両面情報を両面に記録できユーザには使い易くなった。
【００８４】
第３、４、５の本発明によれば、モノクロ情報、カラー情報に対して両面記録可能なファクシミリ装置の場合、両面交互モードでの両面通信の指定を受けた時は、受信情報がカラーであっても、２ページから３ページ程度のメモリへの格納で両面記録を実現でき、メモリがオーバーフローするケースも無く、カラー通信の指定の有無に無関係に、両面情報を両面に記録できる様になりユーザにとっては使い易くなった。また、送信機から、受信機が片面一括モードでの両面通信の指定を受けた時、カラー通信の指定があれば、送信側の原稿ページ数のメモリへの格納が必要でメモリがオーバーフローする事が予想され、通信を中断でき無駄なカラーファクシミリ通信を実行しないで済み、一方、カラー情報の指定が無ければ、送信側の原稿ページ数のメモリへの格納してもメモリがオーバーフローない事が予想され両面情報を両面に記録する事が可能になり、ユーザには使い易くなった。
【図面の簡単な説明】
【図１】本発明によるファクシミリ装置の実施例のブロック図
【図２】本発明によるＤＩＳ／ＤＴＣ、ＤＣＳ信号のＦＩＦ情報の具体例
【図３】本発明による制御の流れ図
【図４】本発明による制御の流れ図
【図５】本発明による制御の流れ図
【図６】本発明による制御の流れ図
【図７】本発明による制御の流れ図
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインターフェイス
３０　コンパクトフラッシュ（登録商標）カード
【図１】
2004147147.tif 000003
【図２】
2004147147.tif 000004
【図３】
2004147147.tif 000005
【図４】
2004147147.tif 000006
【図５】
2004147147.tif 000007
【図６】
2004147147.tif 000008
【図７】
2004147147.tif 000009